(57)【要約】【課題】運搬時に損傷をうけるおそれが少なく、車両シート組立工場での配索が容易な車両シート用フラットハーネス組立体とフラットハーネスの配索方法を提供する。【解決手段】複数本のフラットケーブルＦ１〜Ｆ９を所定の配索パターンに組み合わせてフラットハーネス２１を構成する。各フラットケーブルの集合部をブラケット２４に固定すると共に、各フラットケーブルの延び出し部をゼンマイ状に丸めて、丸めた部分２６をブラケット２４に仮固定し、フラットハーネス組立体２５とする。この組立体のブラケット２４をシートフレームに組み付けた後、フラットケーブルの延び出し部の仮固定を解除して、各フラットケーブルの延び出し部を車両シート内に配索し、各フラットケーブルの先端部を、車両シート内に設置された補機に接続する。【選択図】図２
2007112181.tif 000002
【特許請求の範囲】
【請求項１】
複数本のフラットケーブルを車両シート内の配索パターンに合うように組み合わせてフラットハーネスを構成し、このフラットハーネスの各フラットケーブルの集合部を車両シートの一部を構成するブラケットに固定し、前記集合部からブラケット外に延びる各フラットケーブルの延び出し部をゼンマイ状に丸めて又は蛇行状に屈曲してブラケット上に仮固定したことを特徴とする車両シート用フラットハーネス組立体。
【請求項２】
請求項１記載のフラットハーネス組立体を用意し、ブラケットをシートフレームに組み付けた後、前記フラットケーブルの延び出し部の仮固定を解除して、各フラットケーブルの延び出し部を車両シート内に配索し、各フラットケーブルの先端部を、車両シート内に設置された補機に接続することを特徴とする車両シート用フラットハーネスの配索方法。
【発明の詳細な説明】
【技術分野】
【０００１】
本発明は、車両シート用フラットハーネス組立体と、それを用いたフラットハーネスの配索方法に関するものである。
【背景技術】
【０００２】
自動車等のシートには、シートの前後調整、上下調整等を行うための各種モーターや、暖房用のヒーター、並びにそれらを操作するためのスイッチ等が組み込まれている。これらの補機に電力や信号を供給するため、シート内にはワイヤーハーネスが配索される。従来のワイヤーハーネスは、多数の丸電線を束ねたものが一般的であったが、各種補機が組み込まれた車両シート内は配索スペースが狭いため、狭いスペースにも配索できる配線材として、薄板導体と絶縁フィルムを一体化したものを所要の配索パターンに形成した可撓性フラット配線材なども提案されている（特許文献１）。
【０００３】
【特許文献１】特開平１１−１８８６２号公報
【発明の開示】
【発明が解決しようとする課題】
【０００４】
車両シート用のワイヤーハーネスや可撓性フラット配線材は、非常に複雑な形をしているため、製造工場から出荷するときは、適当に屈曲して、梱包した状態で出荷される。車両シートの組立工場では、それを梱包材から取り出して展開し、各部を車両シートの所定位置に固定しながら配索作業を行う。しかし、ワイヤーハーネスや可撓性フラット配線材は形状が不安定で、位置決めが難しいため、配索作業が非常に面倒で、手間がかかる。また運搬時に損傷をうけないように梱包したり、梱包材から取り出したりする作業も面倒である。
【０００５】
本発明の目的は、運搬時に損傷をうけるおそれが少なく、車両シート組立工場での配索作業も容易な車両シート用フラットハーネス組立体と、それを用いたフラットハーネスの配索方法を提供することにある。
【課題を解決するための手段】
【０００６】
本発明に係る車両シート用フラットハーネス組立体は、複数本のフラットケーブルを車両シート内の配索パターンに合うように組み合わせてフラットハーネスを構成し、このフラットハーネスの各フラットケーブルの集合部を車両シートの一部を構成するブラケットに固定し、前記集合部からブラケット外に延びる各フラットケーブルの延び出し部をゼンマイ状に丸めて又は蛇行状に屈曲してブラケット上に仮固定したことを特徴とするものである。
【０００７】
また本発明に係る車両シート用フラットハーネスの配索方法は、上記のように構成されたフラットハーネス組立体を用意し、ブラケットをシートフレームに組み付けた後、前記フラットケーブルの延び出し部の仮固定を解除して、各フラットケーブルの延び出し部を車両シート内に配索し、各フラットケーブルの先端部を、車両シート内に設置された補機に接続することを特徴とするものである。
【発明の効果】
【０００８】
本発明に係るフラットハーネス組立体は、フラットケーブルの集合部が、シートの一部を構成するブラケットに取り付けられ、かつフラットケーブルの延び出し部がゼンマイ状に丸めて又は蛇行状に屈曲されてブラケットに仮固定されているので、ブラケット外に延び出してぶらぶらするものがなく、運搬や保管が容易である。また、車両シート組立工場では、ブラケットをシートフレームの所定位置に組み付け、フラットケーブルの仮固定を解除して、フラットケーブルを展開すれば、各フラットケーブルの先端部が補機の近くに行くので、簡単に補機への接続を行うことができる。
【発明を実施するための最良の形態】
【０００９】
図１は本発明に用いるフラットハーネスの一実施形態を示す。フラットハーネス２１は、複数本のフラットケーブルＦ１〜Ｆ９を車両シート内の配索パターンに合うように屈曲し、組み合わせて構成される。各フラットケーブルは、複数本の平行なテープ状導体を絶縁フィルムで挟んで一体化したものである。各フラットケーブルＦ１〜Ｆ９の先端には、シート側に組み込まれた各種補機に接続されるコネクタＣ１〜Ｃ１６が取り付けられている。
【００１０】
図１において、Ｆ１は先端がコネクタＣ１により車体側のフロアコネクタに接続されるフラットケーブル、Ｆ２は先端がコネクタＣ２によりバックルスイッチに接続されるフラットケーブル、Ｆ３は先端がコネクタＣ３によりヒーターに接続されるフラットケーブル、Ｆ４は先端がコネクタＣ４により各モーターのスイッチに接続されるフラットケーブル（電源用）、Ｆ５は先端がコネクタＣ５により各モーターのスイッチに接続されるフラットケーブル（信号用）、Ｆ６は先端がコネクタＣ６によりランバーモータースイッチに接続されるフラットケーブル、Ｆ７は一端がコネクタＣ７１によりリフターモータースイッチに接続され、他端がコネクタ７２によりリフターモーターに接続されるフラットケーブル、Ｆ８は一端がコネクタＣ８１によりバーチカルモータースイッチに接続され、他端がコネクタＣ８２によりバーチカルモーターに接続されるフラットケーブル、Ｆ９は一端がコネクタＦ９１によりスライドモータースイッチに接続され、他端がコネクタＦ９２によりスライドモーターに接続されるフラットケーブルである。
【００１１】
なお、Ｆ１０は一端がコネクタＣ１０１によりリクライニングモータースイッチに接続され、他端がコネクタＣ１０２によりリクライニングモーターに接続されるフラットケーブル、Ｆ１１は一端がコネクタＣ１１１によりランバーモータースイッチに接続され、他端がコネクタＣ１１２によりランバーモーターに接続されるフラットケーブルであるが、これらのフラットケーブルＦ１０、Ｆ１１はフラットハーネス２１とは別部品となっている。
【００１２】
フラットケーブルＦ１の基部には、フラットケーブルＦ２〜Ｆ６の基部が直交するように重ねられ、そこで交差する導体が所要の回路パターンを構成するように選択的に接続されて、マトリックスジョイント部２２を構成している。また、マトリックスジョイント部２２に接続されない３本のフラットケーブルＦ７、Ｆ８、Ｆ９は、各々の中間部がマトリックスジョイント部２２の近くを通るように配線されている。つまり、フラットケーブルＦ１〜Ｆ９は、その端部又は中間部が、マトリックスジョイント部２２及びその付近に集合するように配線されている。フラットケーブルＦ１〜Ｆ９の集合部は、プラスチックシート等からなる保持部材２３に接着により固定されている。より具体的には、フラットケーブルＦ２〜Ｆ９のフラットケーブルＦ１と直交する方向に延びる部分と、マトリックスジョイント部２２が、保持部材２３に接着により固定されている。これによりフラットケーブルＦ１〜Ｆ９の相対的位置が固定され、所要のパターンのフラットハーネス２１が構成されている。
【００１３】
図２は、上記のように構成されたフラットハーネス２１と、車両シートの一部を構成するブラケット２４とからなるフラットハーネス組立体２５を示す。ブラケット２４は、シートフレームの前端部に取り付けられて、フロントバーチカルの動作で上下する部材で、車両シートの幅方向に長い長方形の基板部２４ａと、その前端縁及び両側縁を囲む枠部２４ｂとが一体に形成されているものである。フラットハーネス組立体２５は、フラットハーネス２１の保持部材２３を、ブラケットの基板部２４ａに接着剤で張り付けると共に、ブラケット２４外に延びる各フラットケーブルＦ１〜Ｆ９の延び出し部をゼンマイ状に丸めてブラケット２４に仮固定したものである。符号２６はフラットケーブルをゼンマイ状に丸めた部分を示す。
【００１４】
図３は、フラットケーブルの延び出し部をゼンマイ状に丸めてブラケットに仮固定した状態の詳細を示す。図３ではフラットケーブルＦ３の場合を代表的に示すが、それ以外のフラットケーブルの場合も同様である。フラットケーブルＦ３をゼンマイ状に丸めた部分２６は、粘着テープ２７Ａにより丸めた状態が保持されている。またフラットケーブルＦ３は所要箇所を粘着テープ２７Ｂによりブラケット２４に仮固定されている。なお粘着テープ２７Ａ、２７Ｂは簡単に剥がせるものが望ましい。また粘着テープの代わりに面ファスナー等を使用することも可能である。
【００１５】
なお図示してないが、フラットケーブルＦ１０、Ｆ１１（図１参照）もブラケット２４の適当箇所に粘着テープにより仮固定しておくことが望ましい。
【００１６】
フラットハーネス２１の製造工場では、図２のフラットハーネス組立体２５までの製造を行う。この状態では、各フラットケーブルＦ１〜Ｆ９がブラケット２４内に収まり、ぶらぶらするものがないので、運搬、保管が容易であり、フラットハーネスが傷つくおそれも少ない。
【００１７】
車両シートの組立工場では、図２の状態で搬入されたフラットハーネス組立体２５のブラケット２４を、図４のようにシートフレーム２８に組み付ける。その後、粘着テープを剥がしてフラットケーブルＦ１〜Ｆ９の仮固定を解除し、フラットケーブルＦ１〜Ｆ９の延び出し部を展開する。ブラケット２４にフラットケーブルＦ１０、Ｆ１１が仮固定されている場合は、その仮固定も解除し、配索できる状態にする。
【００１８】
シートフレーム２８には、所定の箇所に補機が組み付けられているので、フラットケーブルＦ１〜Ｆ９を展開して延び出し部を車両シート内に配索すると、各フラットケーブルの先端部に取り付けられたコネクタが補機の近くに達する。したがって作業者は、どのフラットケーブルＦ１〜Ｆ９のコネクタを、どの補機に接続すればよいか、直感的に認識できるため、簡単にコネクタを補機に接続することができる。具体的には、コネクタＣ７２はリフターモーターＭ１に接続され、コネクタＣ８２はフロントバーチカルモーターＭ２に接続され、コネクタＣ９２はスライドモーターＭ３に接続され、コネクタＣ２はバックルスイッチＳ１に接続され、コネクタＣ３はヒーターＨ１に接続され、コネクタＣ４、Ｃ５、Ｃ７１、Ｃ８１、Ｃ９１は各モーターのスイッチＳ２の所定箇所に接続され、コネクタＣ６はランバーモータースイッチＳ３に接続される。
【００１９】
なお、フラットケーブルＦ１０の一方のコネクタＣ１０１は各モーターのスイッチＳ２の所定箇所に接続され、他方のコネクタＣ１０２はリクライニングモーターＭ４に接続され、フラットケーブルＦ１１の一方のコネクタＣ１１１はランバーモータースイッチＳ３に接続され、他方のコネクタＣ１１２はランバーモーターＭ５に接続される。リクライニングモーターＭ４とランバーモーターＭ５は背もたれ部２９内に組み付けられている。
【００２０】
以上の実施形態では、フラットケーブルの延び出し部をゼンマイ状に丸めてブラケット２４に仮固定する場合を説明したが、例えばフラットケーブルＦ３の延び出し部は、図５に示すように、蛇行状に屈曲して、粘着テープ２７Ａ、２７Ｂによりブラケット２５に仮固定してもよい。符号３０はフラットケーブルＦ３を蛇行状に屈曲した部分を示す。他のフラットケーブルの延び出し部も同様にして仮固定することができる。
【００２１】
また、仮固定位置は、ブラケット２４上であればよく、例えばフラットケーブルの集合部や保持部材２３に対して仮固定してもよい。
【００２２】
また上記の実施形態では、フラットハーネス２１を、フラットケーブルＦ１〜Ｆ９の集合部を保持部材２３に固定することにより構成したが、フラットハーネス２１は、保持部材２３を使用せずに、フラットケーブルＦ１〜Ｆ９の集合部をブラケット２４に直接、接着剤又は両面接着テープにより固定することによっても構成することができる。
【図面の簡単な説明】
【００２３】
【図１】本発明に用いるフラットハーネスの一実施形態を示す平面図。
【図２】図１のフラットハーネスを用いた本発明に係るフラットハーネス組立体の一実施形態を示す平面図。
【図３】フラットケーブルの延び出し部をゼンマイ状に丸めてブラケットに仮固定した状態を示す、（Ａ）は平面図、（Ｂ）は右側面図、（Ｃ）は正面図。
【図４】図２のフラットハーネス組立体を車両シートに組み付けて、フラットハーネスを配索した状態を示す平面図。
【図５】フラットケーブルの延び出し部を蛇行状に屈曲してブラケットに仮固定した状態を示す、（Ａ）は平面図、（Ｂ）は右側面図、（Ｃ）は正面図。
【符号の説明】
【００２４】
２１：フラットハーネス
２２：マトリックスジョイント部
２３：保持部材
２４：ブラケット
２５：フラットハーネス組立体
２６：フラットケーブルをゼンマイ状に丸めた部分
２７Ａ、２７Ｂ：粘着テープ
２８：シートフレーム
２９：背もたれ部
３０：フラットケーブルを蛇行状に屈曲した部分
Ｆ１〜Ｆ１１：フラットケーブル
Ｃ１〜Ｃ６、Ｃ７１、Ｃ７２、Ｃ８１、Ｃ８２、Ｃ９１、Ｃ９２、Ｃ１０１、Ｃ１０２、Ｃ１１１、Ｃ１１２：コネクタ
Ｍ１〜Ｍ５：モーター
Ｓ１〜Ｓ３：スイッチ
【図１】
2007112181.tif 000003
【図２】
2007112181.tif 000004
【図３】
2007112181.tif 000005
【図４】
2007112181.tif 000006
【図５】
2007112181.tif 000007